(57)【要約】【課題】スピーカユニットの前面から出力された音波が背後側に回り込むのをより効果的に防止することである。【解決手段】スピーカ装置１は、筒形状をなすように周壁が形成された第１部位１１０、及び錐体形状をなすように周壁が形成された第２部位１２０を有する振動子１００と、少なくともマグネット５０及びボイスコイル６０を有して振動子１００を駆動する駆動手段と、を有し、第１部位１１０の一端と第２部位１２０の底とが一体とされ、かつ第１部位１１０の他端及び第２部位１２０の頭部が閉塞されており、駆動手段は、第１部位１１０が当該第１部位１１０の中心軸に平行に移動するように振動子１００を駆動し、第１部位１１０の出力面１１１から音波を出力させる。【選択図】図２
2019068141.tif 000002
【特許請求の範囲】
【請求項１】
筒形状をなすように周壁が形成された第１部位、及び錐体形状をなすように周壁が形成された第２部位を有する振動子と、
少なくともマグネット及びボイスコイルを有して前記振動子を駆動する駆動手段と、を有し、
前記第１部位の一端と前記第２部位の底とが一体とされ、かつ前記第１部位の他端及び第２部位の頭部が閉塞されており、
前記駆動手段は、前記第１部位が当該第１部位の中心軸に平行に移動するように前記振動子を駆動し、前記第１部位の他端面から音波を出力させるスピーカ装置。
【請求項２】
前記第２部位は、截頭錐体形状をなし頭部側の端面が閉塞されている請求項１に記載のスピーカ装置。
【請求項３】
前記第１部位は、円筒形状をなし、前記第２部位は、円錐形状をなす請求項１又は２に記載のスピーカ装置。
【請求項４】
筒形状の内周面にエッジ及びダンパーを介して前記振動子を支持するフレームをさらに有し、
前記第２部位は、前記内周面の端部から外方にはみ出している請求項１乃至３の何れか１項に記載のスピーカ装置。
【発明の詳細な説明】
【技術分野】
【０００１】
本発明は、スピーカの技術に関する。
【背景技術】
【０００２】
従来より、バッフル板を設けることで、スピーカユニットの前面から出力された音波が背後側に回り込むのを防止している（例えば非特許文献１）。
【先行技術文献】
【非特許文献】
【０００３】
【非特許文献１】林正儀、“林正儀のオーディオ講座”、［online］、平成１９年６月２８日、ＰＨＩＬＥ  ＷＥＢ、［平成２９年９月８日検索］、インターネット＜URL：http://www.phileweb.com/magazine/audio-course/archives/2007/06/28.html＞
【発明の概要】
【発明が解決しようとする課題】
【０００４】
本発明の目的は、スピーカユニットの前面から出力された音波が背後側に回り込むのをより効果的に防止することである。
【課題を解決するための手段】
【０００５】
前記課題を解決するために、本発明の第１の態様は、筒形状をなすように周壁が形成された第１部位、及び錐体形状をなすように周壁が形成された第２部位を有する振動子と、少なくともマグネット及びボイスコイルを有して前記振動子を駆動する駆動手段と、を有し、前記第１部位の一端と前記第２部位の底とが一体とされ、かつ前記第１部位の他端及び第２部位の頭部が閉塞されており、前記駆動手段は、前記第１部位が当該第１部位の中心軸に平行に移動するように前記振動子を駆動し、前記第１部位の他端面から音波を出力させるスピーカ装置である。
【０００６】
本発明の第２の態様では、前記第２部位は、截頭錐体形状をなし頭部側の端面が閉塞されていることが好ましい。
【０００７】
本発明の第３の態様では、前記第１部位は、円筒形状をなし、前記第２部位は、円錐形状をなすことが好ましい。
【０００８】
本発明の第４の態様では、筒形状の内周面にエッジ及びダンパーを介して前記振動子を支持するフレームをさらに有し、前記第２部位は、前記内周面の端部から外方にはみ出していることが好ましい。
【発明の効果】
【０００９】
本発明の前記第１の態様によれば、振動子の駆動時に、第１部位の径方向の周囲での圧力変化が抑制されるため、他端面から前方に出力された音波が、第１部位の周囲に回り込むこと、すなわち、他端面からみて後方に回り込むことを抑制できる。
【００１０】
さらに、本発明の前記第１の態様によれば、錐体形状をなす第２部位の周壁が真後ろでなく斜め後方に向くことで、振動子の駆動時に、第２部位の外周面からの音波が、斜め後方に出力されるので、真後ろに出力されて前方に反射されてしまうのを抑制できる。
【００１１】
本発明の前記第２の態様によれば、第２部位の頭部から大きい音波が後方に出力されるのを抑制できる。
【００１２】
本発明の前記第３の態様によれば、振動子を簡易な形状にできる。
【００１３】
本発明の前記第４の態様によれば、振動子をフレームで支持することを可能にしつつ、第２部位の外周面からの音波が、斜め後方に出力されるようになる。
【図面の簡単な説明】
【００１４】
【図１】図１は、第１の実施形態におけるスピーカ装置の構成例を示す斜視図である。
【図２】図２は、第１の実施形態におけるスピーカ装置の構成例を示す断面図である。
【図３】図３は、第２の実施形態におけるスピーカ装置の構成例を示す断面図である。
【図４】図４は、第３の実施形態におけるスピーカ装置の構成例を示す断面図である。
【図５】図５は、第４の実施形態におけるスピーカ装置の構成例を示す断面図である。
【図６】図６は、第１の実施形態における振動子の他の構成例を示す図である。
【図７】図７は、第１の実施形態における振動子のさらに他の構成例を示す図である。
【発明を実施するための形態】
【００１５】
本発明の実施形態を図面を参照しつつ説明する。
（第１の実施形態）
第１の実施形態では、スピーカ装置を挙げている。
（構成）
図１及び図２は、第１の実施形態におけるスピーカ装置１の構成例を示す図である。図１は、スピーカ装置１の斜視図であり、図２は、スピーカ装置１の断面図である。
【００１６】
図１及び図２に示すように、スピーカ装置１は、フレーム部１０、マグネット５０、ボイスコイル６０、エッジ７０、ダンパー８０、及び振動子１００を有している。
フレーム部１０は、脚部２０、及び支持部３０を有している。脚部２０は、床等にスピーカ装置１を設置するための部位になる。脚部２０は、接地部２１、及び取付部２２を有している。例えば、接地部２１は、矩形の板形状をなしている。接地部２１のほぼ中央部分に取付部２２が設けられている。例えば、取付部２２は、断面略矩形の棒形状をなしている。取付部２２の上端に、振動子１００を支持する支持部３０が設けられている。
【００１７】
支持部３０は、周壁３１が肉厚の略円筒形状をなしている。支持部３０は、中心軸３０ａが水平方向に向いている。例えば、フレーム部１０は、プラスチック等の樹脂材料によって、脚部２０と支持部３０とが一体に形成されている。このフレーム部１０の支持部３０の周壁３１内に、マグネット５０が配置されている。また、支持部３０の内周面３２には、エッジ７０及びダンパー８０が設けられている。そして、支持部３０の内周側には、これらエッジ７０及びダンパー８０に支持されて振動子１００が配置されている。
【００１８】
マグネット５０は、ドーナツ型の永久磁石である。よって、マグネット５０は、支持部３０の周壁３１の円周方向に沿って位置されている。本例では、マグネット５０は、支持部３０においてその軸方向のほぼ中間部位に配置されている。
エッジ７０は、支持部３０の内周面３２の前端部に設けられている。エッジ７０は、支持部３０の内周面３２と振動子１００の外周面１０１とを繋げるように形成され、略薄膜又は略薄板の円盤形状をなしている。また、ダンパー８０は、支持部３０の内周面３２の後端部に形成されている。ダンパー８０は、支持部３０の内周面３２と振動子１００の外周面１０１とを繋げるように形成され、略薄膜又は略薄板の円盤形状をなしている。
【００１９】
振動子１００は、前側に位置し円筒形状をなすように周壁が形成された中空の第１部位１１０と、後側に位置し截頭円錐形状をなすように周壁が形成された中空の第２部位１２０とを有する。ここで、第１部位１１０の一端と第２部位１２０の底とが一体とされている。すなわち、振動子１００は、第１部位１１０の後端から第２部位１２０で緩やかに縮径している。
【００２０】
また、第１部位１１０の前端は閉塞されて平面に形成されており、第２部位１２０の後端になる頭部も閉塞されて平面に形成されている。第１部位１１０の前端の平面部１１１と、第２部位１２０の頭部の平面部１２１とは、平行となる関係をなしている。
また、第１部位１１０の長さは、支持部３０の内周面３２とほぼ同じ長さであり、第１部位１１０の外周面１０１の前端がエッジ７０に支持され、第１部位１１０の外周面１０１の後端がダンパー８０に支持されている。このような構造のため、第２部位１２０は、支持部３０の後端から後方に突出し外方に臨んでいる。この振動子１００の中心軸１００ａは、支持部３０の中心軸３０ａと一致している。
【００２１】
ここで、第１部位１１０の前端の平面部１１１は、スピーカ装置１において音波を出力する部位となる。以下の説明では、第１部位１１０の前端の平面部１１１を出力面１１１ともいう。
第１部位１１０には、その外周面１０１であってその軸方向のほぼ中間部位にボイスコイル６０が形成されている。これによって、ボイスコイル６０は、支持部３０の周壁内に配置されているマグネット５０の内周側に位置されるようになる。
【００２２】
（動作、作用等）
次に、第１の実施形態におけるスピーカ装置１の動作、作用等を説明する。
スピーカ装置１では、ボイスコイル６０に電流を供給すると、マグネット５０の中心軸方向でボイスコイル６０が変位することで、エッジ７０及びダンパー８０を介してフレーム部１０に支持されている振動子１００も駆動される。これによって、振動子１００の出力面１１１から音波が出力される。
【００２３】
このとき、駆動時に、円筒形状をなす第１部位１１０が中心軸方向に平行移動するだけなので、第１部位１１０の径方向の周囲での圧力変化が抑制されるため、出力面１１１から出力された音波が第１部位１１０の周囲に回り込むことがない。すなわち、バッフル板を設けなくとも、出力面１１１から出力された音波が、振動子１００の背後方向に回り込むのを防止できる。
【００２４】
また、錐体形状をなす第２部位１２０の周壁が真後ろでなく斜め後方（より横方向に近い方向）に向くことで、駆動時に、第２部位１２０の外周面１２２からの音波が、斜め後方に出力されるので、真後ろに出力されて前方に反射されてしまうのを抑制できる。
【００２５】
（第１の実施形態における効果）
（１）スピーカ装置１は、振動子１００の駆動時に、第１部位１１０の径方向の周囲での圧力変化が抑制されるため、出力面１１１から前方に出力された音波が、第１部位１１０の周囲に回り込むこと、すなわち、出力面１１１からみて後方に回り込むことを抑制できる。このように、スピーカ装置１は、前面から出力された音波が背後側に回り込むのをより効果的に防止できる。
また、スピーカ装置１は、逆相の音波を拡散し、リスニングポイントでの逆相の音波を減衰することで、筐体状のエンクロージャーを不要とすることを可能にする。
【００２６】
（２）スピーカ装置１は、錐体形状をなす第２部位１２０の周壁が真後ろでなく斜め後方に向くことで、振動子１００の駆動時に、第２部位１２０の外周面１２２からの音波が、斜め後方に出力されるので、真後ろに出力されて前方に反射されてしまうのを抑制できる。
また、スピーカ装置１は、出力面１１１である正相の音波発生面が振動方向に垂直であるのに対し、第２部位１２０の外周面１２２である逆相の音波発生面は、第１部位１１０の外周面１０１の向きに近く、より平行に近いものとなっており、表面積も正相の音波発生面の面積よりも各段に広くなっているため、音波を拡散し、弱めることを可能にしている。
【００２７】
（３）スピーカ装置１は、第２部位１２０が截頭円錐形状をなし、第２部位１２０の頭部を平面にすることで、第２部位１２０の頭部から大きい音波が後方に出力されるのを抑制できる。
（４）スピーカ装置１は、第１部位１１０が円筒形状をなし、第２部位１２０が円錐形状をなしているため、振動子１００を簡易な形状として形成できる。
【００２８】
（５）スピーカ装置１は、第２部位１２０が支持部３０の後端から後方に突出し、外方に臨むようになるため、振動子１００をフレーム部１０で支持することを可能にしつつ、第２部位１２０の外周面からの音波が、フレーム部１０に進路を邪魔されることなく斜め後方に出力されるようになる。
【００２９】
（第２の実施形態）
次に、第２の実施形態について図面を参照しつつ説明する。なお、前述の第１の実施形態と同様な構成については同一の符号を付して説明する。
第２の実施形態も、スピーカ装置を挙げている。そして、第２の実施形態では、振動子内にマグネットが配置されている。
【００３０】
（構成）
図３は、第２の実施形態におけるスピーカ装置２の構成例を示す断面図である。
図３に示すように、スピーカ装置２は、フレーム部２１０、マグネット２５０、ボイスコイル２６０、エッジ２７０、ダンパー２８０、及び振動子３００を有している。
フレーム部２１０は、脚部２１１を有している。脚部２１１は、スピーカ装置２を設置するための部位になる。脚部２１１は、接地部２１１ａ、及び取付部２１１ｂを有している。例えば、接地部２１１ａは、円盤の板形状をなしている。接地部２１１ａのほぼ中央部分に取付部２１１ｂが設けられている。例えば、取付部２１１ｂは、断面略矩形の棒形状をなしている。取付部２１１ｂの上端の一方の側面２１１ｂ１にマグネット２５０が取り付けられている。また、取付部２１１ｂの上端の他方の側面２１１ｂ２にダンバー２８０が取り付けられている。
【００３１】
例えば、マグネット２５０は、ドーナツ型、円柱型の永久磁石である。マグネット２５０は、中心軸が水平方向に向くように取付部２１１ｂに後側の端面２５０ａが取り付けられている。また、マグネット２５０の前側の端面２５０ｂにエッジ２７０が取り付けられている。例えば、マグネット２５０の外周を囲むようにカバーが取り付けられており、そのカバーに対してエッジ２７０が取り付けられている。マグネット２５０に取り付けられたエッジ２７０と、取付部２１１ｂに取り付けられたダンパー２８０とで、振動子３００が支持されている。
【００３２】
振動子３００は、前記の第１の実施形態における振動子１００とほぼ同様な形状をなしている。すなわち、振動子３００は、前側に位置し円筒形状をなすように周壁が形成された中空の第１部位３１０と、後側に位置し截頭円錐形状をなすように周壁が形成された中空の第２部位３２０とを有する。ここで、第１部位３１０の一端と第２部位３２０の底とが一体とされている。すなわち、振動子３００は、第１部位３１０の後端から第２部位３２０で緩やかに縮径している。
【００３３】
また、第１部位３１０の前端は閉塞されて平面に形成されており、第２部位３２０の後端になる頭部も閉塞されて平面に形成されている。第１部位３１０の前端の出力部３１１と、第２部位３２０の頭部の平面部３２１とは、平行となる関係をなしている。
また、第２の実施形態では、振動子３００は、第１部位３１０の内周面３１２で前端からやや後ろの部位がエッジ２７０に支持され、第１部位３１０の内周面３１２の後端の部位がダンパー２８０に支持されている。また、第１部位３１０には周壁の一部が開口された開口部３１３が形成されており、脚部２１１の取付部２１１ｂが開口部３１３内を貫通していてマグネット２５０に取り付けられている。そして、第１部位３１０には、その外周面３１４であってその軸方向のほぼ中間部位にボイスコイル２６０が形成されている。これによって、ボイスコイル２６０は、支持部３０内に配置されているマグネット２５０の外周側に位置されるようになる。
【００３４】
（動作、作用等）
次に、第２の実施形態におけるスピーカ装置２の動作、作用等を説明する。
スピーカ装置２では、ボイスコイル２６０に電流を供給すると、マグネット２５０の中心軸方向でボイスコイル２６０が変位することで、エッジ２７０及びダンパー２８０に支持されている振動子１００も駆動される。これによって、振動子３００の出力面３１１から音波が出力される。
【００３５】
このとき、駆動時に、円筒形状をなす第１部位３１０が中心軸方向に平行移動するだけなので、第１部位３１０の径方向の周囲での圧力変化が抑制されるため、出力面３１１から出力された音波が第１部位３１０の周囲に回り込むことがない。すなわち、バッフル板を設けなくとも、出力面３１１から出力された音波が、振動子３００の背後方向に回り込むのを防止できる。
【００３６】
また、錐体形状をなす第２部位３２０の周壁が真後ろでなく斜め後方（より横方向に近い方向）に向くことで、駆動時に、第２部位３２０の外周面３２２からの音波が、斜め後方に出力されるので、真後ろに出力されて前方に反射されてしまうのを抑制できる。
【００３７】
（第２の実施形態における効果）
第２の実施形態では、前記の第１の実施形態における効果と同様な効果の他に、以下のような効果を得ることができる。
（１）スピーカ装置２は、振動子３００内にマグネット２５０、エッジ２７０及びダンパー２８０が収容されるため、コンパクトな構造になる。
【００３８】
（第３の実施形態）
次に、第３の実施形態について図面を参照しつつ説明する。なお、前述の第１及び第２の実施形態と同様な構成については同一の符号を付して説明する。
第３の実施形態も、スピーカ装置を挙げている。そして、第３の実施形態では、ボイスコイルを挟むように２個のマグネットが配置されている。このスピーカ装置は、いわゆるプッシュプル方式のスピーカ装置である。
【００３９】
（構成）
図４は、第３の実施形態におけるスピーカ装置２の構成例を示す断面図である。
図４に示すように、スピーカ装置３は、フレーム部４１０、２個のマグネット４５１，４５２、ボイスコイル４６０、エッジ４７０、ダンパー４８０、及び振動子５００を有している。
【００４０】
第３の実施形態では、第１の実施形態との比較で、フレーム部４１０の支持部４３０の周壁４３１内に、その前後それぞれにマグネット４５１，４５２が配置されている。各マグネット４５１，４５２は、ドーナツ型の永久磁石である。よって、各マグネット４５１，４５２は、支持部４３０の周壁４３１の円周方向に沿って配置されている。また、各マグネット４５１，４５２は、同じ磁極が向かい合うように配置されている。本例では、各マグネット４５１，４５２は、Ｓ極が向かい合っている。
【００４１】
ボイスコイル４６０は、第１の実施形態と同様に、第１部位５１０の外周面５０１であってその軸方向のほぼ中間部位に形成されている。これによって、ボイスコイル４６０は、支持部４６０内に配置されている２個のマグネット４５１，４５２の間に位置される。
【００４２】
（動作、作用等）
次に、第３の実施形態におけるスピーカ装置３の動作、作用等を説明する。
スピーカ装置３では、ボイスコイル４６０に電流を供給すると、マグネット４５１，４５２の中心軸方向でボイスコイル４６０が変位することで、エッジ４７０及びダンパー４８０を介してフレーム部４１０に支持されている振動子５００も駆動される。これによって、振動子５００の出力面５１１から音波が出力される。
【００４３】
このとき、駆動時に、円筒形状をなす第１部位５１０が中心軸方向に平行移動するだけなので、第１部位５１０の径方向の周囲での圧力変化が抑制されるため、出力面５１１から出力された音波が第１部位５１０の周囲に回り込むことがない。すなわち、バッフル板を設けなくとも、出力面５１１から出力された音波が、振動子５００の背後方向に回り込むのを防止できる。
また、錐体形状をなす第２部位５２０の周壁が真後ろでなく斜め後方（より横方向に近い方向）に向くことで、駆動時に、第２部位５２０の外周面５２２からの音波が、斜め後方に出力されるので、真後ろに出力されて前方に反射されてしまうのを抑制できる。
【００４４】
（第３の実施形態における効果）
第３の実施形態では、スピーカ装置３が、２個のマグネット４５１，４５２を有する方式を採用した場合でも、前記の第１及び第２の実施形態における効果と同様な効果を得ることができる。
【００４５】
（第４の実施形態）
次に、第４の実施形態について図面を参照しつつ説明する。なお、前述の第１乃至第３の実施形態と同様な構成については同一の符号を付して説明する。
第４の実施形態も、スピーカ装置を挙げている。そして、第４の実施形態では、ボイスコイルを挟むように２個のマグネットが配置されている。このスピーカ装置も、第３の実施形態と同様に、いわゆるプッシュプル方式のスピーカ装置である。
【００４６】
（構成）
図４は、第４の実施形態におけるスピーカ装置３の構成例を示す断面図である。
図４に示すように、スピーカ装置３は、フレーム部６１０、２個のマグネット６５１，６５２、ボイスコイル６６０、エッジ６７０、ダンパー６８０、及び振動子７００を有している。
【００４７】
第４の実施形態では、第２の実施形態との比較で、脚部２１１は、接地部６１１、並びに第１及び第２取付部６１２，６１３を有している。例えば、接地部６１１は、円盤の板形状をなしている。接地部６１１の両端それぞれに第１及び第２取付部６１２，６１３が設けられている。例えば、第１及び第２取付部６１２，６１３は、断面略矩形の棒形状をなしている。第１取付部６１２の上端に第１マグネット６５１が取り付けられている。また、第２取付部６１３の上端に第２マグネット６５２が取り付けられている。第１部位７１０には周壁の一部が開口された第１及び第２開口部７１３，７１４が形成されており、第１及び第２取付部６１２，６１３が第１及び第２開口部７１３，７１４内をそれぞれ貫通していて第１及び第２マグネット６５１，６５２それぞれに取り付けられている。
【００４８】
例えば、第１及び第２マグネット６５１，６５２は、ドーナツ型、円柱型の永久磁石である。各マグネット６５１，６５２は、中心軸が水平方向に向くように配置されている。また、前側の第１マグネット６５１の後端面６５１ａと後側の第２マグネット６５２の前端面６５２ａとに支持部材６５５が架け渡されており、支持部材６５５によって、第１マグネット６５１と第２マグネット６５２とが一定の間隔に維持されている。そして、第１マグネット６５１の前端面６５１ｂにエッジ６７０が取り付けられ、第２マグネット６５２の後端面６５２ｂにダンパー６８０が取り付けられ、これらエッジ６７０及びダンパー６８０によって振動子７００が支持されている。
【００４９】
ボイスコイル６６０は、第２の実施形態と同様に、第１部位７１０の外周面７０１であってその軸方向のほぼ中間部位に形成されている。これによって、ボイスコイル６６０は、第１部位７１０内に配置されている２個のマグネット６５１，６５２の間に位置されるようになる。
【００５０】
（動作、作用等）
次に、第４の実施形態におけるスピーカ装置４の動作、作用等を説明する。
スピーカ装置４では、ボイスコイル６６０に電流を供給すると、マグネット６５１，６５２の中心軸方向でボイスコイル６６０が変位することで、エッジ６７０及びダンパー６８０に支持されている振動子７００も駆動される。これによって、振動子７００の出力面７１１から音波が出力される。
【００５１】
このとき、駆動時に、円筒形状をなす第１部位７１０が中心軸方向に平行移動するだけなので、第１部位７１０の径方向の周囲での圧力変化が抑制されるため、出力面７１１から出力された音波が第１部位７１０の周囲に回り込むことがない。すなわち、バッフル板を設けなくとも、出力面７１１から出力された音波が、振動子７００の背後方向に回り込むのを防止できる。
【００５２】
また、錐体形状をなす第２部位７２０の周壁が真後ろでなく斜め後方（より横方向に近い方向）に向くことで、駆動時に、第２部位７２０の外周面７２２からの音波が、斜め後方に出力されるので、真後ろに出力されて前方に反射されてしまうのを抑制できる。
なお、前記の説明において、マグネット及びボイスコイルは、例えば、駆動手段を構成する。
【００５３】
（第４の実施形態における効果）
第４の実施形態では、スピーカ装置４が、２個のマグネット６５１，６５２を有する方式を採用した場合でも、前記の第１乃至第３の実施形態における効果と同様な効果を得ることができる。
【００５４】
（本実施形態の変形例等）
前記の実施形態の他の例として、第２部位を円錐形状にすることもできる。すなわち、第２部位の頭部を平面にすることもなく、頂点を有するように形成することもできる。
また、前記の実施形態の他の例として、第２部位を、底面が多角形になる三角錐形状、四角推形状等にすることもできる。
【００５５】
また、前記の実施形態の他の例として、第２部位を、底面が楕円になる錐体形状にすることもできる。
また、前記の実施形態の他の例として、振動子を空洞でなく中実にすることもできる。
また、前記の実施形態の他の例として、振動子の側面、外周面の境界部分の角をなくし、曲面に加工することもできる。例えば、第１の実施形態において、第１部位１１０における出力面１１１の外側面と外周面との境界部分、第１部位１１０の外周面と第２部位１２０の外周面との境界部分、又は第２部位１２０における平面部１２１の外側面と外周面との境界部分等を曲面に加工する。
【００５６】
図６は、第１の実施形態における振動子８００の他の構成例を示す図である。
図６に示すように、振動子８００は、第１部位８１０及び第２部位８２０を有する。第１部位８１０は、円筒形状をなしている。第２部位８２０は、略円錐形状をなしているが、外周面が第１部位８１０との境界部分から先端に向かって曲線を描くよう直径が緩やかに減少している。
【００５７】
図７は、第１の実施形態における振動子９００のさらに他の構成例を示す図である。
図７に示すように、振動子９００は、第１部位９１０及び第２部位９２０を有する。第１部位９１０は、円筒形状をなしている。第２部位９２０は、略円錐形状をなしているが、第１部位８１０との境界部分で直径が大きく減少し、その後、先端に向かって直径が緩やかに減少している。すなわち、第２部位９２０の外周面は、流線形状となるように形成されている。
【００５８】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５９】
１，２，３，４  スピーカ装置、１００，３００，５００，７００，８００，９００  振動子、１１０，３１０，５１０，７１０，８１０，９１０  第１部位、１２０，３２０，５２０，７２０，８２０，９２０  第２部位、５０，２５０，４５１，４５２，６５１，６５２  マグネット、６０，２６０，４６０，６６０  ボイスコイル
【図１】
2019068141.tif 000003
【図２】
2019068141.tif 000004
【図３】
2019068141.tif 000005
【図４】
2019068141.tif 000006
【図５】
2019068141.tif 000007
【図６】
2019068141.tif 000008
【図７】
2019068141.tif 000009
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
筒形状をなすように周壁が形成された第１部位、及び錐体形状をなすように周壁が形成された第２部位を有する振動子と、
少なくともマグネット及びボイスコイルを有して前記振動子を駆動する駆動手段と、を有し、
前記第１部位の一端と前記第２部位の底とが一体とされ、かつ前記第１部位の他端及び第２部位の頭部が閉塞されており、かつ、前記第１部位の他端面及び前記第２部位は、外方に臨んでおり、
前記駆動手段は、前記第１部位が当該第１部位の中心軸に平行に移動するように前記振動子を駆動し、前記第１部位の他端面から音波を出力させるスピーカ装置。
【請求項２】
前記第２部位は、截頭錐体形状をなし頭部側の端面が閉塞されている請求項１に記載のスピーカ装置。
【請求項３】
前記第１部位は、円筒形状をなし、前記第２部位は、円錐形状をなす請求項１又は２に記載のスピーカ装置。
【請求項４】
筒形状の内周面にエッジ及びダンパーを介して前記振動子を支持するフレームをさらに有し、
前記第２部位は、前記内周面の端部から外方にはみ出している請求項１乃至３の何れか１項に記載のスピーカ装置。
【手続補正２】
【補正対象書類名】明細書
【補正対象項目名】０００５
【補正方法】変更
【補正の内容】
【０００５】
前記課題を解決するために、本発明の第１の態様は、筒形状をなすように周壁が形成された第１部位、及び錐体形状をなすように周壁が形成された第２部位を有する振動子と、少なくともマグネット及びボイスコイルを有して前記振動子を駆動する駆動手段と、を有し、前記第１部位の一端と前記第２部位の底とが一体とされ、かつ前記第１部位の他端及び第２部位の頭部が閉塞されており、かつ、前記第１部位の他端面及び前記第２部位は、外方に臨んでおり、前記駆動手段は、前記第１部位が当該第１部位の中心軸に平行に移動するように前記振動子を駆動し、前記第１部位の他端面から音波を出力させるスピーカ装置である。